【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
人物、有体物及び無体物の少なくとも一つである説明の対象物をセンサ情報として検出する一以上のセンサが出力した前記センサ情報を入力する入力手段と、
前記入力手段が入力したセンサ情報に基づいて前記対象物を説明する説明情報を判定する判定手段と、を備える情報処理装置であって、
前記センサ情報は、前記対象物の方向に関する情報である方向情報を含むことを特徴とする情報処理装置。
【請求項２】
前記判定手段は、対象物間の特定の位置関係及び時間的関係のうち、少なくとも一方を表す一以上の論理式を用いて説明情報を判定することを特徴とする請求項１に記載の情報処理装置。
【請求項３】
説明情報を定義する論理式を同一の内容を表す他の複数の論理式へ変形し、変形した論理式を構成する演算子毎に前記判定手段の行う判定に要する計算量を計算することで、計算量の少ない論理式である軽量論理式を決定する決定手段を、更に備え、
前記判定手段は、前記決定手段の決定した軽量論理式と前記センサ情報とに基づいて説明情報を判定する、ことを特徴とする請求項１又は２に記載の情報処理装置。
【請求項４】
前記方向情報とは、前記対象物の移動方向であることを特徴とする請求項１ないし３に記載の情報処理装置。
【請求項５】
前記対象物は有体物であり、
前記方向情報とは、前記対象物の配置方向であることを特徴とする請求項１ないし３に記載の情報処理装置。
【請求項６】
前記対象物は人物であり、
前記方向情報とは、前記対象物の視認方向であることを特徴とする請求項１ないし３に記載の情報処理装置。 
【請求項７】
前記決定手段は、数学法則である分配則及び結合則、並びに、論理否定の組合せにより論理式を変形することで前記軽量論理式を決定する、ことを特徴とする請求項３に記載の情報処理装置。
【請求項８】
前記決定手段は、Ａｌｌｅｎの時間的関連性により定められる変形規則であって、計算量を軽減する論理式の変形規則を用いて前記軽量論理式を決定する、ことを特徴とする請求項３に記載の情報処理装置。
【請求項９】
前記決定手段は、Ｅｇｅｎｈｏｆｅｒの空間的関連性により定められる変形規則であって、計算量を軽減する論理式の変形規則を用いて前記軽量論理式を決定する、ことを特徴とする請求項３に記載の情報処理装置。
【請求項１０】
前記Ａｌｌｅｎの時間的関連性により定められる変形規則とは、以下の論理式（１）を満足して左辺から右辺へと変形する変形規則である、ことを特徴とする請求項８に記載の情報処理装置。
（数１）
ｅｑｕａｌ（Ａｉ，Ｂｉ） ｏｒ ａｆｔｅｒ（Ａｉ，Ｂｉ） ｏｒ ｄｕｒｉｎｇ（Ａｉ，Ｂｉ） ｏｒ ｃｏｎｔａｉｎｓ（Ａｉ，Ｂｉ） ｏｒ ｏｖｅｒｌａｐｓ（Ａｉ，Ｂｉ）ｏｒ
ｏｖｅｒｌａｐｅｄ＿ｂｙ（Ａｉ，Ｂｉ） ｏｒ ｍｅｅｔｓ（Ａｉ，Ｂｉ） ｏｒ ｍｅｔ＿ｂｙ（Ａｉ，Ｂｉ） ｏｒ ｓｔａｒｔ（Ａｉ，Ｂｉ） ｏｒ ｆｉｎｉｓｈｅｓ（Ａｉ，Ｂｉ）＝ｎｏｔ
(ｂｅｆｏｒｅ（Ａｉ，Ｂｉ）)・・・（１）
但し、Ａｉ及びＢｉは時区間を表す。
【請求項１１】
前記Ｅｇｅｎｈｏｆｅｒの空間的関連性により定められる変形規則とは、以下の論理式（２）を満足して左辺から右辺へと変形する変形規則である、ことを特徴とする請求項９に記載の情報処理装置。
（数２）
(Ａｒ Ｃｏｎｔａｉｎ Ｂｒ) ｏｒ (Ａｒ Ｉｎｓｉｄｅ Ｂｒ) ｏｒ (Ａｒ Ｅｑｕａｌ Ｂｒ) ｏｒ (Ａｒ Ｍｅｅｔ Ｂｒ) ｏｒ (Ａｒ Ｃｏｖｅｒ
Ｂｒ) ｏｒ (Ａｒ ＣｏｖｅｒｅｄＢｙ Ｂｒ) ｏｒ (Ａｒ Ｏｖｅｒｌａｐ Ｂｒ) ＝ ｎｏｔ (Ａｒ Ｄｉｓｊｏｉｎｔ Ｂｒ) ・・・（２）
但し、Ａｒ及びＢｒは領域を表す。
【請求項１２】
前記判定手段の判定した説明情報と前記センサ情報と時刻情報とを関連付けられて蓄積するセンサ情報蓄積手段を、更に有することを特徴とする請求項１ないし１１に記載の情報処理装置。
【請求項１３】
前記対象物は、優先順位を有し、
前記優先順位に基づいて、前記センサ情報蓄積手段に蓄積された複数の説明情報の内容の整合を維持する整合維持手段を更に有する、ことを特徴とする請求項１２に記載の情報処理装置。
【請求項１４】
ユーザの選択に基づいて、前記センサ情報蓄積手段に蓄積された複数の説明情報の内容の整合を維持する整合維持手段を更に有する、ことを特徴とする請求項１２に記載の情報処理装置。
【請求項１５】
前記入力手段は、動画像の撮影時における対象物をセンサ情報として検出するセンサが出力する前記センサ情報を入力し、
前記動画像と時刻情報とを関連付けられて蓄積する動画像蓄積手段を更に有することを特徴とする請求項１０ないし１４に記載の情報処理装置。
【請求項１６】
前記判定手段の判定した説明情報に基づいて、前記動画像を検索する検索手段、を更に備えることを特徴とする請求項１５に記載の情報処理装置。
【請求項１７】
前記検索手段は、前記判定手段の判定した説明情報に基づいて、前記対象物を検索することを特徴とする請求項１５に記載の情報処理装置。
【請求項１８】
前記検索手段は、前記対象物に基づいて前記判定手段の判定した前記説明情報を検索することを特徴とする請求項１５に記載の情報処理装置。
【請求項１９】
人物、有体物及び無体物の少なくとも一つである説明の対象とする対象物をセンサ情報として検出する一以上のセンサが出力した前記センサ情報を入力する入力ステップと、
前記入力ステップで入力したセンサ情報に基づいて前記対象物を説明する説明情報を判定する判定ステップと、を備える情報処理方法であって、
前記センサ情報は、前記対象物の方向に関する情報である方向情報を含むことを特徴とする情報処理方法。
【請求項２０】
前記判定ステップは、対象物間の特定の位置関係及び時間的関係うち、少なくとも一方を表す一以上の論理式を用いて説明情報を判定することを特徴とする請求項１９に記載の情報処理方法。
【請求項２１】
説明情報を定義する論理式を同一の内容を表す他の複数の論理式へ変形し、変形した論理式を構成する演算子毎に前記判定ステップで行う判定に要する計算量を計算することで、計算量の少ない論理式である軽量論理式を決定する決定ステップを、更に備え、
前記判定ステップは、前記決定ステップの決定した軽量論理式と前記センサ情報とに基づいて説明情報を判定する、ことを特徴とする請求項１９又は２０に記載の情報処理装置。
【請求項２２】
コンピュータを、
人物、有体物及び無体物の少なくとも一つである説明の対象物をセンサ情報として検出する一以上のセンサが出力した前記センサ情報を入力する入力手段と、
前記入力手段が入力したセンサ情報に基づいて前記対象物を説明する説明情報を判定する判定手段として機能させる情報処理プログラムであって、
前記センサ情報は、前記対象物の方向に関する情報である方向情報を含むことを特徴とする情報処理プログラム。
【請求項２３】
前記判定手段は、対象物の特定の位置関係及び時間的関係うち、少なくとも一方を表す一以上の論理式を用いて説明情報を判定することを特徴とする請求項２２に記載の情報処理プログラム。
【請求項２４】
コンピュータを、
説明情報を定義する論理式を同一の内容を表す他の複数の論理式へ変形し、変形した論理式を構成する演算子毎に前記判定手段の行う判定に要する計算量を計算することで、計算量の少ない論理式である軽量論理式を決定する決定手段として更に機能させ、
前記判定手段は、前記決定手段の決定した軽量論理式と前記センサ情報とに基づいて説明情報を判定する、ことを特徴とする請求項２２又は２３に記載の情報処理プログラム。
【手続補正２】
【補正対象書類名】明細書
【補正対象項目名】発明の名称
【補正方法】変更
【補正の内容】
【発明の名称】情報処理装置、情報処理方法、及び情報処理プログラム
【手続補正３】
【補正対象書類名】明細書
【補正対象項目名】０００１
【補正方法】変更
【補正の内容】
【０００１】
本発明は、検索用の情報に基づいて所望の蓄積された情報を検索できる情報処理装置、情報処理方法、及び情報処理プログラムに関し、特に、対象物の時間及び空間における関連性を表す情報を検索できる情報処理装置、情報処理方法、及び情報処理プログラムに関する。
【手続補正４】
【補正対象書類名】明細書
【補正対象項目名】００１１
【補正方法】変更
【補正の内容】
【００１１】
本発明は、上記問題に鑑みて成されたものであり、その目的とするところは、センサ情報に基づいた方向情報により少ない計算量にて説明情報を判定できる情報処理装置、情報処理方法、及び情報処理プログラムを提供する。
【手続補正５】
【補正対象書類名】明細書
【補正対象項目名】００１２
【補正方法】変更
【補正の内容】
【００１２】
本発明に係る情報処理装置は、人物、有体物及び無体物の少なくとも一つである説明の対象物をセンサ情報として検出する一以上のセンサが出力したセンサ情報を入力する入力手段と、入力手段が入力したセンサ情報に基づいて対象物を説明する説明情報を判定する判定手段と、を備える情報処理装置であって、センサ情報は、対象物の方向に関する情報である方向情報を含むことを特徴としている。
この構成によれば、方向情報と言う複雑な情報を基にして説明情報を判定できるため、一例として、位置情報のみから「隣接している」と言う説明情報を判定する場合に比べて、「対面している」と言った内容に方向的な意味を有したより具体的な説明情報を判定できる。
【手続補正６】
【補正対象書類名】明細書
【補正対象項目名】００１３
【補正方法】変更
【補正の内容】
【００１３】
上記構成において、判定手段は、対象物間の特定の位置関係及び時間的関係のうち、少なくとも一方を表す一以上の論理式を用いて説明情報を判定する構成を採用できる。
この構成によれば、対象物の特定の位置関係を基にして説明情報を判定できるため、一例として、内容に位置関係的な意味を有したより具体的な内容を示す説明情報を判定できる。
【手続補正７】
【補正対象書類名】明細書
【補正対象項目名】００１４
【補正方法】変更
【補正の内容】
【００１４】
上記構成において、説明情報を定義する論理式を同一の内容を表す他の複数の論理式へ変形し、変形した論理式を構成する演算子毎に判定手段の行う判定に要する計算量を計算することで、計算量の少ない論理式である軽量論理式を決定する決定手段を、更に備え、判定手段は、決定手段の決定した軽量論理式とセンサ情報とに基づいて説明情報を判定する構成を採用できる。
この構成によれば、判定に要する計算量の少ない論理式を決定した後に説明情報を判定できるため、一例として、計算量の少ない論理式を決定することなく判定する場合に比べて、判定対象とするセンサ情報の数の増加に伴う判定時間の増加を抑制できる。
【手続補正８】
【補正対象書類名】明細書
【補正対象項目名】００１５
【補正方法】変更
【補正の内容】
【００１５】
上記構成において、方向情報とは、対象物の移動方向である構成を採用できる。
この構成によれば、対象物の移動方向を基にして説明情報を判定できるため、一例として、位置情報のみから「一致した」と言う説明情報を判定する場合に比べて、「受信した」と言った内容に移動方向的な意味を有したより具体的な動作内容を示す説明情報を判定することができる。
【手続補正９】
【補正対象書類名】明細書
【補正対象項目名】００１６
【補正方法】変更
【補正の内容】
【００１６】
上記構成において、対象物は有体物であり、方向情報とは、対象物の配置方向である構成を採用できる。
この構成によれば、対象物の配置方向を基にして説明情報を判定できるため、一例として、位置情報のみから「隣接している」と言う説明情報を判定する場合に比べて、「対面している」と言った方向的な意味を有したより具体的な状態を示す説明情報を判定することができる。
【手続補正１０】
【補正対象書類名】明細書
【補正対象項目名】００１７
【補正方法】変更
【補正の内容】
【００１７】
上記構成において、対象物は人物であり、方向情報とは、対象物の視認方向である構成を採用できる。
この構成によれば、対象物の視認方向を基にして説明情報を判定できるため、一例として、位置情報のみから「隣接している」と言う説明情報を判定する場合に比べて、「向かい合っている」と言った方向的な意味を有したより具体的な状態を示す説明情報を判定することができる。
【手続補正１１】
【補正対象書類名】明細書
【補正対象項目名】００２１
【補正方法】変更
【補正の内容】
【００２１】
上記構成において、Ａｌｌｅｎの時間的関連性により定められる変形規則とは、以下の論理式（１）を満足して左辺から右辺へと変形する変形規則である、ことを特徴とする構成を採用できる。
（数３）
ｅｑｕａｌ（Ａｉ，Ｂｉ） ｏｒ ａｆｔｅｒ（Ａｉ，Ｂｉ） ｏｒ ｄｕｒｉｎｇ（Ａｉ，Ｂｉ） ｏｒ ｃｏｎｔａｉｎｓ（Ａｉ，Ｂｉ） ｏｒ ｏｖｅｒｌａｐｓ（Ａｉ，Ｂｉ）
ｏｒ ｏｖｅｒｌａｐｅｄ＿ｂｙ（Ａｉ，Ｂｉ） ｏｒ ｍｅｅｔｓ（Ａｉ，Ｂｉ） ｏｒ ｍｅｔ＿ｂｙ（Ａｉ，Ｂｉ） ｏｒ ｓｔａｒｔ（Ａｉ，Ｂｉ） ｏｒ ｆｉｎｉｓｈｅｓ（Ａｉ，Ｂｉ）＝
ｎｏｔ (ｂｅｆｏｒｅ（Ａｉ，Ｂｉ）)・・・（１）
但し、Ａｉ及びＢｉは時区間を表す。
この構成によれば、予め同一の論理内容のまま表現の異なった論理式へと変形する様々な変形規則を情報処理装置に登録しておいて変形規則の適用の可否を判断するため、例えば、数学的性質である分配則、結合則、及び、交換則と言う数学的規則に従って論理式を変形する方法と比べて、より柔軟な変形規則を用いることができるだけでなく、変形規則の拡張や変更が容易である。
【手続補正１２】
【補正対象書類名】明細書
【補正対象項目名】００２３
【補正方法】変更
【補正の内容】
【００２３】
上記構成において、判定手段の判定した説明情報とセンサ情報と時刻情報とを関連付けられて蓄積するセンサ情報蓄積手段を、更に有する構成を採用できる。
この構成によれば、対象物はセンサ情報として検出され、また、説明情報は方向情報に基づいて判定されるので、二以上の対象物においては、それぞれの対象物と対象物間の空間的な関連性と時間的な関連性とを関連付けて蓄積できる。
【手続補正１３】
【補正対象書類名】明細書
【補正対象項目名】００２４
【補正方法】変更
【補正の内容】
【００２４】
上記構成において、対象物は、優先順位を有し、優先順位に基づいて、センサ情報蓄積手段に蓄積された複数の説明情報の内容の整合を維持する整合維持手段を更に有する構成を採用できる。
この構成によれば、論理式による判定を厳密に行う必要が無いため、判定手段の構成を単純化できる。また、説明情報の追加や変更に柔軟に対応できる。また、この構成によれば、予め定められた優先順位に基づいて説明情報を判定するため、例えば、ユーザの選択に基づいて説明情報を判定する方法と比べて、センサ情報蓄積手段に蓄積された説明情報の数の増加に伴うユーザの管理労力の増加を抑制できる。
【手続補正１４】
【補正対象書類名】明細書
【補正対象項目名】００２５
【補正方法】変更
【補正の内容】
【００２５】
上記構成において、ユーザの選択に基づいて、センサ情報蓄積手段に蓄積された複数の説明情報の内容の整合を維持する整合維持手段を更に有する構成を採用できる。
この構成によれば、論理式による判定を厳密に行う必要が無いため、判定手段の構成を単純化できる。また、説明情報の追加や変更に柔軟に対応できる。また、この構成によれば、ユーザの選択に基づいて説明情報を判定するため、例えば、予め定められた優先順位に基づいて説明情報を判定する方法と比べて、判定手段によって判定される説明情報と実際の観察によりユーザによって認識される説明情報との齟齬が生じ難い。
【手続補正１５】
【補正対象書類名】明細書
【補正対象項目名】００２６
【補正方法】変更
【補正の内容】
【００２６】
上記構成において、入力手段は、動画像の撮影時における対象物をセンサ情報として検出するセンサが出力するセンサ情報を入力し、動画像と時刻情報とを関連付けられて蓄積する動画像蓄積手段を更に有する構成を採用できる。
この構成によれば、センサ情報を時刻に関連付けられて蓄積でき、且つ、動画像を時刻情報に関連付けて蓄積できる。よって、一例として、動画像の撮影時刻を示す時刻情報と関連付けて蓄積することで、動画像の撮影時刻を特定して動画像とセンサ情報とを関連付けて蓄積できる。
【手続補正１６】
【補正対象書類名】明細書
【補正対象項目名】００２７
【補正方法】変更
【補正の内容】
【００２７】
上記構成において、判定手段の判定した説明情報に基づいて、動画像を検索する検索手段、を更に備える構成を採用できる。
この構成によれば、説明情報に基づいて動画像を検索できるので、一例として、対象物の特徴を表す説明情報に基づいて撮影対象とした対象物の動画像を検索できる。一例として、「議論」で特徴付けられる対象物の動作を撮影した動画を特定するには、説明情報「議論」を手掛かりに動画を特定できる。
【手続補正１７】
【補正対象書類名】明細書
【補正対象項目名】００２８
【補正方法】変更
【補正の内容】
【００２８】
上記構成において、検索手段は、判定手段の判定した説明情報に基づいて、対象物を検索する構成を採用できる。
この構成によれば、説明情報に基づいて対象物を検索できるので、対象物を特徴付ける説明情報を手掛かりとして対象物を特定できる。一例として、「議論」が、対象物である人物の会議における動作を特徴付ける場合には、説明情報「議論」を手掛かりに人物を特定できる。
【手続補正１８】
【補正対象書類名】明細書
【補正対象項目名】００２９
【補正方法】変更
【補正の内容】
【００２９】
上記構成において、検索手段は、対象物に基づいて判定手段の判定した説明情報を検索する構成を採用できる。
この構成によれば、対象物に基づいて説明情報を検索できるので、対象物を手掛かりとして特定の時刻における対象物の状態や動作等を表す説明情報を取得できる。一例として、対象物である電子ファイルを手掛かりに、説明情報である電子ファイルの投影履歴を取得できる。
【手続補正１９】
【補正対象書類名】明細書
【補正対象項目名】００３０
【補正方法】変更
【補正の内容】
【００３０】
本発明に係る情報処理方法は、人物、有体物及び無体物の少なくとも一つである説明の対象とする対象物をセンサ情報として検出する一以上のセンサが出力したセンサ情報を入力する入力ステップと、入力ステップで入力したセンサ情報に基づいて対象物を説明する説明情報を判定する判定ステップと、を備える情報処理方法であって、センサ情報は、対象物の方向に関する情報である方向情報を含むことを特徴としている。
この構成によれば、方向情報と言う複雑な情報を基にして説明情報を判定できるため、一例として、位置情報のみから「隣接している」と言う説明情報を判定する場合に比べて、「対面している」と言った内容に方向的な意味を有したより具体的な説明情報を判定できる。
【手続補正２０】
【補正対象書類名】明細書
【補正対象項目名】００３１
【補正方法】変更
【補正の内容】
【００３１】
上記構成において、判定ステップは、対象物間の特定の位置関係及び時間的関係うち、少なくとも一方を表す一以上の論理式を用いて説明情報を判定する構成を採用できる。
この構成によれば、対象物の特定の位置関係を基にして説明情報を判定できるため、一例として、内容に位置関係的な意味を有したより具体的な内容を示す説明情報を判定することができる。
【手続補正２１】
【補正対象書類名】明細書
【補正対象項目名】００３２
【補正方法】変更
【補正の内容】
【００３２】
上記構成において、説明情報を定義する論理式を同一の内容を表す他の複数の論理式へ変形し、変形した論理式を構成する演算子毎に判定ステップで行う判定に要する計算量を計算することで、計算量の少ない論理式である軽量論理式を決定する決定ステップを、更に備え、判定ステップは、決定ステップの決定した軽量論理式とセンサ情報とに基づいて説明情報を判定することを特徴としている。
この構成によれば、判定に要する計算量の少ない論理式を決定した後に説明情報を判定できるため、一例として、計算量の少ない論理式を決定することなく判定する場合に比べて、判定対象とするセンサ情報の数の増加に伴う判定時間の増加を抑制できる。
【手続補正２２】
【補正対象書類名】明細書
【補正対象項目名】００３３
【補正方法】変更
【補正の内容】
【００３３】
本発明に係る情報処理プログラムは、コンピュータを、人物、有体物及び無体物の少なくとも一つである説明の対象物をセンサ情報として検出する一以上のセンサが出力したセンサ情報を入力する入力手段と、入力手段が入力したセンサ情報に基づいて対象物を説明する説明情報を判定する判定手段として機能させる情報処理プログラムであって、センサ情報は、対象物の方向に関する情報である方向情報を含むことを特徴としている。
この構成によれば、方向情報と言う複雑な情報を基にして説明情報を判定できるため、一例として、位置情報のみから「隣接している」と言う説明情報を判定する場合に比べて、「対面している」と言った内容に方向的な意味を有したより具体的な説明情報を判定できる。
【手続補正２３】
【補正対象書類名】明細書
【補正対象項目名】００３４
【補正方法】変更
【補正の内容】
【００３４】
上記構成において、判定手段は、対象物の特定の位置関係及び時間的関係うち、少なくとも一方を表す一以上の論理式を用いて説明情報を判定する構成を採用できる。
この構成によれば、対象物の特定の位置関係を基にして説明情報を判定できるため、一例として、内容に位置関係的な意味を有したより具体的な内容を示す説明情報を判定することができる。
【手続補正２４】
【補正対象書類名】明細書
【補正対象項目名】００３５
【補正方法】変更
【補正の内容】
【００３５】
上記構成において、コンピュータを、説明情報を定義する論理式を同一の内容を表す他の複数の論理式へ変形し、変形した論理式を構成する演算子毎に判定手段の行う判定に要する計算量を計算することで、計算量の少ない論理式である軽量論理式を決定する決定手段として更に機能させ、判定手段は、決定手段の決定した軽量論理式とセンサ情報とに基づいて説明情報を判定する構成を採用できる。
この構成によれば、判定に要する計算量の少ない論理式を決定した後に説明情報を判定できるため、一例として、計算量の少ない論理式を決定することなく判定する場合に比べて、判定対象とするセンサ情報の数の増加に伴う判定時間の増加を抑制できる。
【手続補正２５】
【補正対象書類名】明細書
【補正対象項目名】００３６
【補正方法】変更
【補正の内容】
【００３６】
本発明によれば、センサ情報に基づいた方向情報により少ない計算量にて説明情報を判定できる情報処理装置、情報処理方法、及び情報処理プログラムを提供できる。
【手続補正２６】
【補正対象書類名】明細書
【補正対象項目名】００３７
【補正方法】変更
【補正の内容】
【００３７】
以下、本発明の最良の実施形態について、添付図面を参照しつつ説明する。
図１は本発明の一実施例に係る情報処理装置の構成図である。
本発明の情報処理装置１００は、カメラ管理部１１０、動画像記録部１２０、動画像データベース１３０、入力手段としてのセンサ管理部１４０、判定手段としての判定部１５０、決定手段としての決定部１６０、変形規則データベース１７０、メタデータデータベース１８０、センサ情報記録部１９０、センサ情報データベース２００、整合維持手段としての整合維持部２１０、環境情報データベース２２０、検索手段としての検索部２３０、入力部２４０、及び表示部２５０等から構成されている。
【手続補正２７】
【補正対象書類名】明細書
【補正対象項目名】００４３
【補正方法】変更
【補正の内容】
【００４３】
動画像記録部１２０は、カメラ管理部１１０及び動画像データベース１３０に接続している。動画像記録部１２０は、カメラ管理部１１０から関連付けられた動画像とカメラ識別情報とを受信する。また、動画像記録部１２０は、時刻と受信した動画像とカメラ識別情報とを関連付けて動画像データベース１３０へ蓄積する。
【手続補正２８】
【補正対象書類名】明細書
【補正対象項目名】００６４
【補正方法】変更
【補正の内容】
【００６４】
ｂｅｆｏｒｅ（Ａｐ，Ｂｉ）は、時点Ａｐが区間Ｂｉの開始時刻Ｂｉ．ｓｔｐより前であることを表す。ａｆｔｅｒ（Ａｐ，Ｂｉ）は、時点Ａｐが区間Ｂｉの終了刻Ｂｉ．ｅｎｐより後であることを表す。ｃｏｎｔａｉｎｓ（Ａｐ，Ｂｉ）は、区間Ｂｉの開始時刻Ｂｉ．ｓｔｐが時点Ａｐより前であり、かつ、区間Ｂｉの終了時刻Ｂｉ．ｅｎｐが時点Ａｐよりも後であることを表す。ｓｔａｒｔｓ（Ａｐ，Ｂｉ）は、区間Ｂｉの開始時刻Ｂｉ．ｓｔｐが時点Ａｐに一致することを表す。ｆｉｎｉｓｈｅｓ（Ａｐ，Ｂｉ）は、区間Ｂｉの終了時刻Ｂｉ．ｅｎｐが時点Ａｐに一致することを表す。
【手続補正２９】
【補正対象書類名】明細書
【補正対象項目名】００６６
【補正方法】変更
【補正の内容】
【００６６】
ｂｅｆｏｒｅ（Ａｉ，Ｂｐ）は、区間Ａｉの終了時刻Ａｉ．ｅｎｐが時点Ｂｐより前であることを表す。ａｆｔｅｒ（Ａｉ，Ｂｐ）は、区間Ａｉの開始時刻Ａｉ．ｓｔｐが時点Ｂｐより後であることを表す。ｄｕｒｉｎｇ（Ａｉ，Ｂｐ）は、区間Ａｉの開始時刻Ａｉ．ｓｔｐが時点Ｂｐより前であり、かつ時点Ｂｐが区間Ａｉの終了時刻Ａｉ．ｅｎｐよりも前であることを表す。ｓｔａｒｔｓ（Ａｉ，Ｂｐ）は、時点Ｂｐが区間Ａｉの開始時刻Ａｉ．ｓｔｐに一致することを表す。ｆｉｎｉｓｈｅｓ（Ａｉ，Ｂｐ）は、時点Ｂｐが区間Ａｉの終了時刻Ａｉ．ｅｎｐに一致することを表す。
【手続補正３０】
【補正対象書類名】明細書
【補正対象項目名】００６８
【補正方法】変更
【補正の内容】
【００６８】
ｅｑｕａｌ（Ａｉ，Ｂｉ）は、区間Ａｉの開始時刻Ａｉ．ｓｔｐと区間Ｂｉの開始時刻Ｂｉ．ｓｔｐとが一致し、かつ区間Ａｉの終了時刻Ａｉ．ｅｎｐと区間Ｂｉの終了時刻Ｂｉ．ｅｎｐとが一致することを表す。ｂｅｆｏｒｅ（Ａｉ，Ｂｉ）は、区間Ａｉの終了時刻Ａｉ．ｅｎｐが区間Ｂｉの開始時刻Ｂｉ．ｓｔｐより前であることを表す。ａｆｔｅｒ（Ａｉ，Ｂｉ）は、区間Ｂｉの終了時刻Ｂｉ．ｅｎｐが区間Ａｉの始時刻Ａｉ．ｓｔｐより前であることを表す。ｄｕｒｉｎｇ（Ａｉ，Ｂｉ）は、区間Ａｉの開始時刻Ａｉ．ｓｔｐが区間Ｂｉの開始時刻Ｂｉ．ｓｔｐより前であり、かつ区間Ｂｉの終了時刻Ｂｉ．ｅｎｐが区間Ａｉの終了時刻Ａｉ．ｓｔｐよりも前であることを表す。ｃｏｎｔａｉｎｓ（Ａｉ，Ｂｉ）は、区間Ｂｉの開始時刻Ｂｉ．ｓｔｐの開始時刻が区間Ａｉの開始時刻Ａｉ．ｓｔｐより前であり、かつ区間Ａｉの終了時刻Ａｉ．ｅｎｐが区間Ｂｉの終了時刻Ｂｉ．ｅｎｐよりも前であることを表す。ｏｖｅｒｌａｐｓ（Ａｉ，Ｂｉ）は、区間Ａｉの開始時刻Ａｉ．ｓｔｐが区間Ｂｉの開始時刻Ｂｉ．ｓｔｐよりも前であり、かつ、区間Ｂｉの開始時刻Ｂｉ．ｓｔｐが区間Ａｉの終了時刻Ａｉ．ｅｎｐよりも前であり、かつ、区間Ａｉの終了時刻Ａｉ．ｅｎｐが区間Ｂｉの終了時刻Ｂｉ．ｅｎｐよりも前であることを表す。ｏｖｅｒｌａｐｐｅｄ＿ｂｙ（Ａｉ，Ｂｉ）は、区間Ｂｉの開始時刻Ｂｉ．ｓｔｐが区間Ａｉの開始時刻Ａｉ．ｓｔｐよりも前であり、かつ、区間Ａｉの開始時刻Ａｉ．ｓｔｐが区間Ｂｉの終了時刻Ｂｉ．ｅｎｐよりも前であり、かつ、区間Ｂｉの終了時刻Ｂｉ．ｅｎｐが区間Ａｉの終了時刻Ａｉ．ｅｎｐよりも前であることを表す。ｍｅｅｔｓ（Ａｉ，Ｂｉ）は、区間Ａｉの終了時刻Ａｉ．ｅｎｐが区間Ｂｉの開始時刻Ｂｉ．ｓｔｐに一致することを表す。ｍｅｔ＿ｂｙ（Ａｉ，Ｂｉ）は、区間Ｂｉの終了時刻Ｂｉ．ｅｎｐが区間Ａｉの開始時刻Ａｉ．ｓｔｐに一致することを表す。ｓｔａｒｔｓ（Ａｉ，Ｂｉ）は、区間Ａｉの開始時刻Ａｉ．ｓｔｐが区間Ｂｉの開始時刻Ｂｉ．ｓｔｐに一致することを表す。ｆｉｎｉｓｈｅｓ（Ａｉ，Ｂｉ）は、区間Ａｉの終了時刻Ａｉ．ｅｎｐが区間Ｂｉの終了時刻Ｂｉ．ｅｎｐに一致することを表す。
【手続補正３１】
【補正対象書類名】明細書
【補正対象項目名】００７１
【補正方法】変更
【補正の内容】
【００７１】
Ｄｉｓｊｏｉｎｔ（Ａｒ，Ｂｒ）は、領域Ａｒと領域Ｂｒとは何ら関係を有しないことを表す。Ｃｏｎｔａｉｎ（Ａｒ，Ｂｒ）は、領域Ａｒは領域Ｂｒを含むことを表す。Ｉｎｓｉｄｅ（Ａｒ，Ｂｒ）は、領域Ａｒは領域Ｂｒの中にあることを表す。Ｅｑｕａｌ（Ａｒ，Ｂｒ）は、領域Ａｒと領域Ｂｒとが一致することを表す。Ｍｅｅｔ（Ａｒ，Ｂｒ）は、領域Ａｒと領域Ｂｒとが接していることを表す。Ｃｏｖｅｒ（Ａｒ，Ｂｒ）は、領域Ａｒが領域Ｂｒを含んでいることを表す。Ｃｏｖｅｒｅｄ＿Ｂｙ（Ａｒ，Ｂｒ）は、領域Ａｒが領域Ｂｒに含まれていることを表す。Ｏｖｅｒｌａｐ（Ａｒ，Ｂｒ）は、領域Ａｒと領域Ｂｒとが重なり合っていることを表す。
【手続補正３２】
【補正対象書類名】明細書
【補正対象項目名】００８９
【補正方法】変更
【補正の内容】
【００８９】
更に、方向性を意味内容に含むメタデータとして、「閲読」と言ったメタデータを、有体物オブジェクトである紙媒体等に印刷されたドキュメントの配置方向と人物オブジェクトの視認方向とが同じ場合として定義する構成を採用することもできる。尚、紙媒体の方向は、他の有体物と同様にＲＦＩＤタグを用いてセンサ情報に基づいて取得することができる。
【手続補正３３】
【補正対象書類名】明細書
【補正対象項目名】０１０７
【補正方法】変更
【補正の内容】
【０１０７】
尚、図３において図示は省略したが、センサ管理部１４０は、プレゼンテータ等がスクリーンを指示するために用いる指示装置が指示した位置を検出するセンサを備えている。よって、判定部１５０は、センサ管理部１４０から受信したセンサ情報によって、プレゼンテータ等が投影された電子データを指示したこと及び指示したスクリーン等を検知できる。
【手続補正３４】
【補正対象書類名】明細書
【補正対象項目名】０１０９
【補正方法】変更
【補正の内容】
【０１０９】
その後、判定部１５０は、複数の時刻におけるＲＦＩＤタグの位置座標を用いてオブジェクトの移動方法を取得する。また、縦方向（図９ではＺ軸方向）の移動等を判断することで、人物オブジェクトが座っているか立っているかを判断する。
【手続補正３５】
【補正対象書類名】明細書
【補正対象項目名】０１３７
【補正方法】変更
【補正の内容】
【０１３７】
ステップＳＴ９において、決定部１６０は、数学的な交換則を適用することで計算量が軽減されないと判断した場合、又は、ステップＳＴ１０を実行した後には、上記処理により計算量の軽減された論理式を（計算量を軽量化できなかった場合には判定部１５０から受信した論理式）を判定部１５０へ送信する（ステップＳＴ１１）。その後、決定部１６０は、処理の実行を終了する。
【手続補正３６】
【補正対象書類名】明細書
【補正対象項目名】０１４０
【補正方法】変更
【補正の内容】
【０１４０】
ここで、判定部１５０が、論理式２１に基づいてメタデータを判定するために必要とされる計算量は、論理式２２に基づく計算量と等しい。よって、論理式２１は、交換則の適用によって計算量を軽減することはできない。
【手続補正３７】
【補正対象書類名】明細書
【補正対象項目名】０１４６
【補正方法】変更
【補正の内容】
【０１４６】
また、同一時刻に同一オブジェクトに付されることがないメタデータ相互間の関係性をも蓄積している。メタデータ相互間の関係性とは、例えば、同一時刻に同一のオブジェクト付されたメタデータ「互いに向き合う」と「互いに向き合って着席する」とはメタデータの意味内容が互いに矛盾しないため、整合性を有するが、同一時刻に同一のオブジェクト付されたメタデータ「議論」と「沈黙」とはメタデータの意味内容が互いに矛盾するため、整合性を有しないと言った関係性である。
【手続補正３８】
【補正対象書類名】明細書
【補正対象項目名】０１９４
【補正方法】変更
【補正の内容】
【０１９４】
１００…情報処理装置                  １１０…カメラ管理部                  
１１１〜１１ｎ…ビデオカメラ          １２０…動画像記録部                  
１３０…動画像ＤＢ（動画像蓄積手段）  １４０…センサ管理部（入力手段）      
１４０１〜１４０ｍ…ファイルサーバ    
１４１１〜１４１ｍ’…メールサーバ    １４２１〜１４２ｍ’’…プロジェクタ  
１４３１〜１４３ｍ’’’…ＲＦＩＤリーダ  １４４１〜１４３ｍ’’’’…マイクロフォン
１５０…判定部（判定手段）            １５１…技術用語蓄積部                
１６０…決定部（決定手段）            １７０…変形規則ＤＢ                  
１８０…メタデータＤＢ                １９０…センサ情報記録部              
２００…センサ情報ＤＢ（センサ情報蓄積手段）
２１０…整合維持部（整合維持手段）    ２２０…環境情報ＤＢ                  
２３０…検索部（検索手段）            ２４０…入力部                        
２５０…表示部                        ３００…ユーザ                        
Ｃ００１〜Ｃ００ｎ：…カメラＩＤ      ＤＳ…スライドデータ                  
Ｉ…時区間                            ｍ１．ｅｎｐ：…時区間ｍ１の終了時刻  
ｍ１．ｓｔｐ：…時区間ｍ１の開始時刻  ｍ２．ｅｎｐ：…時区間ｍ２の開始時刻  
ｍ２．ｓｔｐ：…時区間ｍ２の開始時刻  Ｐ…時点                              
Ｓ…スクリーン                        ＴＡ…管理テーブル                    
ＴＭ…メタデータテーブル              ＴＳ…センサ情報テーブル              
【手続補正３９】
【補正対象書類名】図面
【補正対象項目名】図８
【補正方法】変更
【補正の内容】
【図８】
2007213350.tif 000001